(57)【要約】      （修正有）【課題】平皿に入れたケーキ類の生クリームなどやカレーライスのようなペースト状食品やパラパラした焼き飯などを従来の略長円状の凹陥部よりなる掬い部を備えた金属製スプーンを用いて食べる際に、略水平な底面に残り少なくなったものをきれいに掬い取るのは困難であった。【解決手段】柄部の先端のほぼ長円状の凹陥部よりなる掬い部３の少なくとも一側縁を平面視かつ側面視凹状の誘導側縁３１とし、この誘導側縁３１を一定の傾斜角度で底面に当接した際に、この誘導側縁３１の略全域の下端が略水平面に当接するように形成する。そして、この誘導側縁３１を底面５２に当接したままペースト状食品５を掬い取るべくスプーンを移動させると、底面の残り少ないペースト状食品が残らず凹状の誘導側縁３１に沿って中央の方に誘導され、掻き集められる。従来の円状側縁や直線状側縁に比してより高く盛り上げることができるため、これを掬い取り易くすることができる。【選択図】図３
2014033767.tif 000002
【特許請求の範囲】
【請求項１】
柄部の先端に凹陥部よりなる掬い部が連設され、この掬い部の少なくとも一側縁を平面視かつ側面視凹状の誘導側縁としたことを特徴とするスプーン。
【請求項２】
前記掬い部を一定の傾斜角度で略水平面に当接した際に、前記誘導側縁の略全域の下端が前記略水平面に当接するように形成したことを特徴とする請求項１記載のスプーン。
【請求項３】
前記誘導側縁を前記掬い部の真横より少し前方に配置し、柄部の中心軸と一定の角度を設けたことを特徴とする請求項１または２記載のスプーン。
【請求項４】
前記掬い部の凹陥部が柄部に連続していることを特徴とする請求項１、２または３記載のスプーン。
【発明の詳細な説明】
【技術分野】
【０００１】
本発明は平皿の底面に残り少なくなったケーキの生クリームやカレーライスやシチューなどのペースト状食品や焼き飯などのようなパラパラした粒状食品をきれいに掬い取ることができる硬質材料よりなるスプーンに関する技術である。
【背景技術】
【０００２】
平皿に入れたカレーライスやシチューなどを、従来の平面視略長円状の凹陥部よりなる掬い部を備えた金属製スプーンで食べる際に、平坦な底面の残り少なくなったペースト状のカレールーなどをきれいに掬い取るのは困難なことであった。
これは、従来のスプーンの柄部を手で持って、適度な一定の傾斜角度で、掬い部を平坦な底面に当接したままカレーなどを掬い取るべくスプーンを移動させると、掬い部の略円状の側縁の下端の点に近いわずかの長さしか底面に当接しておらず、この当接点の両側の隙間からカレーが漏れてしまって掬い取ることができずに、掬い部の下方の皿底面に二つの筋となって残ってしまうからである。
また、このようにして掬い取ろうとする時、この当接点の直近の両側の隙間はごくわずかであるから、直近のカレーはその粘度によっては掬い部の上に引っ張り上げられて掬い取られることもある。
しかしながら、直近より遠い範囲のカレーは側縁と底面との隙間が広がっていることや、掬い部の側縁が進行方向に向けて両側に遠ざかるように湾曲していることもあって、掬い部の上に引き上げられることはなく、二つの筋に分かれて掬い部の下に残って逃げてゆくものである。従来の略長円状の掬い部を備えた金属製などの硬い材質のスプーンで平坦な底面のペースト状食品を掬い取るのは元々困難なことであった。
【０００３】
そこで、食器に付着したジャムなどの食品をきれいに掬い取ることができるスプーンの技術があった。（特許文献１参照。）、（特許文献２参照。）。しかし、これらは、掬材２が軟質材料のシリコンゴムなどよりなるものであり、長円状であっても軟らかい側縁が略水平な底面になじみやすいため、掬い取り効果は高いものの、鏡面状に磨かれた金属製スプーンの硬くてツルツルした感覚に比べて、見た目の衛生感や、口に入れた時の摩擦を感じるようなザラッとした口当たりがあるため、使用感に欠ける点があった。それと、金属製に比してシリコンは汚れ易いし、付着した汚れはナプキンでちょっと拭いたぐらいでは落ちにくいという問題点もあった。
【０００４】
また、奥に向かって徐々に狭まる開口部を設けたスプーンがあったが（特許文献３参照。）、掬ったものがこの開口部からこぼれ落ちそうであるし、口に入れた時に、奥の狭まった部分は舌が挟まりそうで口当たりのよさそうなものではなかった。
【０００５】
そして、掬い部の一側縁を平面視直線状としたスプーンの技術が多々あった（特許文献４参照。）、（特許文献５参照。）、（特許文献６参照。）。しかし、特許文献４のような平面視直線状側縁２では、皿の底面に掬い部を直角に当てたら、側縁の全域が平坦な底面に隙間なく当接し、バターのようにある程度硬くて付着力の大なるものは付着させて取ることができるかもしれないが、直立させたスプーンの移動により、ペースト状食品を掬い取ることは不可能であろう。また、特許文献５や特許文献６のように、両側端縁を略直線状に形成し、これが平坦な底面に全域当接したとしても、スプーンの移動によりこの側端縁の中央付近に向けてペースト状食品を掻き集めて、より高く盛り上げて掬い取ることは困難であった。
【０００６】
また、特許文献７において、平坦帯状の平面部２ｂで残り少なくなったルーを掬い取ろうとすると、図７の（B）に示されるように凹陥状先端部２の底端が皿に当接しているため、図８の（B）に示されるように従来のスプーンの側縁の皿に対する角度に比して、平面部２ｂの傾斜角度が大となって、かえってルーが掬い上げにくくなるという問題点があった。
【０００７】
また、ソースなどを掬い易くするための面取り部４を設けたスプーンがある。（特許文献８参照。）。しかし、この面取り部４は口や舌を切り易く危険性があった。
【０００８】
そして、緩やかな凹曲線状の縁面で形成する唇当たり面10を設けたスプーンがあるが、（特許文献９参照。）、段落番号０００８記載のように、この唇当たり面10は上唇11aと下唇１１ｂに密着しやすい形状として、汁類が唇からこぼれにくくするためのもの、のようであった。
【０００９】
それと、本願の図１０の平面図に示すような製品が「角アイススプーン」と称して市販されている。このスプーンは図示のように平面視直線状側縁３５を有している。そしてこの直線状側縁３５は側面図（不図示）で見ると平面図の等高線４が途切れていることから明らかなように、側面視凹状の側縁を有していることになる。このスプーンは掬い部３を略水平な底面に直角に当てたならば、直線状側縁３５の全域が水平面に隙間なく当接する構成となっているものである。しかしながら、段落番号０００５に記載したように、直角に当接して移動してもペースト状食品などを掬い取ることは不可能である。そして、掬い部３を適当に傾けて底面に当接すると側面視凹状の側縁３５の点に近い一部しか底面に当接しないため、段落番号０００２に記載したと同じく、二つの筋となって残ってしまうものである。
【先行技術文献】
【特許文献】
【００１０】
【特許文献１】特開２００２―６５４３８
【特許文献２】特開２０００−７９０４４
【特許文献３】実登第３１６５３３４号
【特許文献４】特開昭５９−０５１８１３
【特許文献５】実開平２−５７４６５
【特許文献６】実開平２−１９２７７
【特許文献７】特開２００１−１０４１３３
【特許文献８】実登第３１０９８５０号
【特許文献９】特開２００３−３８３３１
【発明の概要】
【発明が解決しようとする課題】
【００１１】
本発明は、上記のような従来の技術が有していた問題点を改良しようとするものであり、平皿に残り少なくなったペースト状食品などを従来の略長円状の掬い部を備えたスプーンよりきれいに掬い取ることができるようにして、口当たりも良い金属または硬質の樹脂などからなり、前、横、後の各側縁が滑らかに湾曲して連続していて、これらの側縁に囲まれて中央部辺りが凹陥した掬い部を有し、後側縁に柄部が連接されたスプーンを改良して提供しようとするものである。
【課題を解決するための手段】
【００１２】
本発明の第１の課題解決手段は上記の目的を達成するために、柄部の先端に凹陥部よりなる掬い部が連設され、この掬い部の少なくとも一側縁を平面視かつ側面視凹状の誘導側縁としたことを特徴とするスプーンとしたものである。
【００１３】
本発明の第２の課題解決手段は上記の目的を達成するために、前記掬い部を一定の傾斜角度で略水平面に当接した際に、前記誘導側縁の略全域の下端が前記略水平面に当接するように形成したことを特徴とする請求項１記載のスプーンとしたものである。
【００１４】
本発明の第３の課題解決手段は上記の目的を達成するために、前記誘導側縁を前記掬い部の真横より少し前方に配置し、柄部の中心軸と一定の角度を設けたことを特徴とする請求項１または２記載のスプーンとしたものである。
【００１５】
本発明の第４の課題解決手段は上記の目的を達成するために、前記掬い部の凹陥部が柄部に連続していることを特徴とする請求項１、２または３記載のスプーンとしたものである。
【発明の効果】
【００１６】
上記解決手段による効果は次のとおりである。
【００１７】
掬い部を適度な傾斜角度で平皿の底面に当てて、残り少なくなったペースト状食品などを掬い取るべくスプーンを移動させる際に、誘導側縁の下端の全域が略水平な底面に当接されるように形成されているので、移動とともに、凹状の誘導側縁に沿ってペースト状食品が中央部の方に誘導されて掻き集められ、盛り上がってくるため、この盛り上がって掬い取り易くなった部分が、掬い部に掬い取られていくものである。
【００１８】
掬い部を適度な傾斜角度で平皿の底面に当てて、掬い取るのであるが、ペースト状食品などの種類や粘度や残存量や温度や、側縁厚さや側縁角度やスプーンの移動速度などによって、最適な当接傾斜角度は微妙に変わってくるものであるが、平坦で略水平な底面に対して概略３０度〜４５度程度が好適であろう。このなかで最適な一定の傾斜角度を食品のおおまかな種類ごとに、実験値により設定して誘導側縁の下端が略水平面に接するように製造したならば、底面に残った誘導側縁の幅分のペースト状食品を残らず掬い取ることができるようになるものである。
【００１９】
従来は、スプーンを用いて食べるシチューやカレーライスなどのようなペースト状食品や、焼き飯のような粒状のパラパラした食物は、食べ始めのころは量が多く掬い取るのに問題ないが、残り少なくなってくると掬い取るのが困難になっていた。それで、皿の隅の方へスプーンで何度もカチカチとうるさい音をたてて苦労して掻き集めておいて、盛り上がったところを掬い取っていた。
本発明のスプーンを使用すると、スプーンの移動により誘導側縁に沿って誘導側縁の幅分のカレーライスや焼き飯が誘導側縁の凹部の中央付近に掻き集められ、盛り上がってきて、この盛り上がったものが、スプーンの最後の素早い回転により掬い部に掬い上げられていくため、カレーライスや焼き飯などを従来のスプーンより、掻き集め回数を少なくして、より静かに、行儀よく、きれいに、スマートに、食べることができるようになるものである。
【００２０】
また、ケーキなどによく付いているイチゴやバナナなどをスプーンの側縁で押して半分に切ろうとすると、従来のスプーンは平面視円状の側縁のため、転がったり滑って逃げて皿から飛び出てしまうということがあった。本発明のスプーンは側縁が凹状になっていて、誘導側縁の中央の方へ移動しようとする力が発生するため、滑って逃げることがなく、他方の手でイチゴなどを固定しておかなくても、片手だけでも非常に切り取り易く、半分に切ったものをそのまま掬い取り易くなるという効果もあるものであり、片手障害者にもやさしいスプーンとなるものである。
【００２１】
本発明のスプーンは誘導側縁と各側縁が滑らかに連続して湾曲しているため、食品を掬って口に入れた時、口当たりが従来のスプーンと変わらず良好である。
【００２２】
また、カップに入れられたヨーグルトやアイスクリームなどは、カップの半径が２５mm程度のものが多いため、スプーンの前側縁を例えば半径２５mm程度の円状としておいたら、前側縁を略直角にカップの内面に当接して掻き上げるようにして掬い取ったら、側縁とカップの内面との隙間が少なくなり、きれいに掬い取りやすくなるものである。
【００２３】
それと、椀状の容器は半径が５０ｍｍ程度のものが多いため、横側縁を半径５０ｍｍ程度の円状としておけば、横に持って掻き上げるようにして掬い取ったら隙間が少なくなって好適である。椀状容器の下の方は半径が小の曲面となるが、スプーンを適度に傾けて曲面に隙間なく当接するようにして掻き上げたら、きれいに掬い取ることが可能になるものである。
【００２４】
また、通常スプーンが使用される食品や料理の種類によって、例えばカレーライス用、焼き飯用、シチュー用、ケーキ用、アイスクリーム用、フルーツパフェ用等々をある程度のグループに分けて、それぞれに適合する使用時の傾斜角度、デザイン、形状、寸法、材質のものを用意しておけば、様々な食物を掬い取り易く、口当たりも良く、高齢者や上肢障害者にもやさしいユニバーサルデザインの誘導側縁を有するスプーンとすることが可能になるものである。
【図面の簡単な説明】
【００２５】
【図１】本発明の実施例を示す平面図である。
【図２】本発明の実施例を示す側面図である。
【図３】本発明の実施例を示す拡大断面図である。
【図４】本発明の実施例を示す平面図である。
【図５】本発明の実施例を示す平面図である。
【図６】本発明の実施例を示す平面図である。
【図７】本発明の実施例を示す平面図である。
【図８】本発明の実施例を示す側面図である。
【図９】本発明の実施例を示す平面図である。
【図１０】背景技術の一例を示す平面図である。
【発明を実施するための形態】
【００２６】
以下、本発明の実施例について、図１〜図１０に基づいて説明する。
【００２７】
図１、図４、図５、図６、図７に示す各実施例は、本発明のスプーン１の平面図であるが、いずれも、柄部２の先端に、凹陥した略長円状の掬い部３が連設されていて従来のスプーンと同様に口当たりを良好にするために、掬い部３の前、横、後の各側縁が滑らかに連続して湾曲する形状となっているが、少なくとも一側縁を凹状の誘導側縁３１としたものである。
この誘導側縁３１は、平皿に適当な深さに水を入れて、一定の傾斜角度で掬い部３を底面５２に当接して、水面と掬い部３が接するラインで掬い部３を切り取ったものであり、更に、凹状の切り取り部の両端が長円状の側縁と交わる角ばった部分を、アール加工して口当たりをよくしたものである。
【００２８】
図４は略長円状の掬い部３の片側の横側縁３３を凹状の誘導側縁３１としたものである。図５は、四角ばった略長円状の凹陥部よりなる掬い部３の片側の横側縁を凹状の誘導側縁３１とするものである。図６も四角ばった略長円状の掬い部の前方の前側縁を凹状の誘導側縁３１としたものである。図７は略長円状の掬い部の両方の横側縁を凹状の誘導側縁３１としたものである。これらの実施例はいろいろに組み合わせることが可能であるが、いずれも平面視かつ側面視凹状の誘導側縁３１を少なくとも一つは有しているものである。いずれの掬い部にも側縁からの深さを示す等高線４が記入されているが、等高線４の途切れた凹部が誘導側縁３１であり、図２に示されるように等高線を水平にして側面から見た側面図において、凹状の誘導側縁３１を有している。
【００２９】
これらの誘導側縁３１を有するスプーン１は図３に示すように、略水平な平皿の底面５２に対して、ペースト状食品５の種類や粘度や残存量や温度やスプーン１の移動速度などによって、掬い取り易い傾斜角度６は微妙に変わってくるものではあるが、適度な傾斜角度６で当接されて、残り少なくなったペースト状食品５を掬い取るべく矢印の方向へ移動するものである。
【００３０】
図３に示されるように、誘導側縁３１全域の下端が略水平な底面５２に当接していて、スプーン１の移動とともに、皿底面５２に付着した誘導側縁３１の幅分のペースト状食品５が凹状の誘導側縁３１に沿って、凹状の中央の辺りに掻き集められて盛り上がり、その盛り上がり部５１が、掬い部３を適当なタイミングで略水平になるように素早く回転して掬い上げられていくものである。
ここでいう略水平な底面５２とは、カレーライスなどを盛りつける通常の平皿は底面がわずかに湾曲していることが多く、このようにわずかに湾曲した底面も略水平な底面５２とみなすものである。
【００３１】
図４に示すように誘導側縁３１を、中心軸と平行な真横に設けたものは柄部２が使用中に皿の縁部５３に当たってしまい邪魔になることがあるため、図１に示す実施例のように誘導側縁３１を、真横より少し前方に設け、柄部２の中心軸方向に対して適度な角度αを設けた例であるが、これは平皿の食品を誘導側縁３１で掬い取る際に柄部２が縁部５３から遠ざけるようにして、図３に示す縁部５３に当たらないようにしたものである。図１の実施例の誘導側縁３１は平坦な底面のものを掬い取る部分とし、円状の前側縁３２や横側縁３３は、適度の傾斜角度にすると、図３の縁部５３の際などのアール部に隙間なく当接して、アール部のものを掬い取る部分としたら、掬い部の左右が非対称形ではあるが、これ一本で、平底部、アール部に隙間なく当接して、残らず掬い取ることが可能な便利なスプーンとなるものである。
【００３２】
また、図７に示す実施例は、角を丸めた四角形状ではあるが、ほぼ長円状の凹陥部よりなる掬い部３の真横より少し前方両側に誘導側縁３１、３１を設けたものであり、柄部２が皿の縁部５３に当たりにくくするために、柄部２の中心軸方向に対して適度な角度α、αを設けた例である。この実施例は平皿のカレーライスなどを食べるのに適した形状であり、右利きでも左利きの人でも使い易い形状となるものである。また、図示はしていないが、角を丸めた三角形状の掬い部の少なくとも一側縁を誘導側縁３１としても良い。
【００３３】
図４の実施例はほぼ長円状の掬い部３の左横側縁を凹状の誘導側縁３１としたものであるが、スプーンを左横方移動させてペースト状食品を掬い取るものであり、どちらかといえば、右利きの人が使い易いものである。左利き用のものも製造したら便利であろう。
【００３４】
図５の実施例はほぼ長円状の掬い部の右横側縁を凹状の誘導側縁３１としたものであるが、スプーンを右横方移動させて平皿のペースト状食品を掬い取るものであり、どちらかといえば、左利きの人が使い易いものである。
【００３５】
図６の実施例もほぼ長円状の凹陥部よりなる掬い部３の前側縁を凹状の誘導側縁３１としたものであるが、スプーンを前方移動させてペースト状食品を掬い取るものである。
【００３６】
図７の実施例はほぼ長円状の掬い部３の両横側縁を凹状の誘導側縁３１としたものであるが、スプーン１を左右どちらに移動させても掬い取ることができるものである。
【００３７】
また、ケーキによく付いている丸くて転がり易いイチゴや滑り易いフルーツなどをスプーンの側縁で押し切りする際に、従来の長円状の側縁では転がったり滑って逃げることがあるため、他方の手で押さえておかねばならなかったが、図８に示すように、本発明の凹状の誘導側縁３１で押さえ切ろうとしたら、フルーツが凹状の中央の方へ移動しようとする力が発生して、転がったり、滑って逃げることがなくなり、他方の手で押さえておかなくても、片手でも楽に切ることが可能になるものである。
【００３８】
図９の実施例は、請求項４に属するものである。防水性の板紙やプラスチックシートなどをプレス成型などにより製作されるものであり、図５~図７の実施例の柄部２を幅広とし、掬い部３の等高線４が柄部２まで連続したものである。
図９に示すように、掬い部３の凹陥部が柄部２に連続しているため、使用に際しての柄部の強度が確保されるものである。そして、柄部２から掬い部３に向けて接続部を次第に幅広にして接続されているため、力のかかりやすい接続部の強度が確保されている。それと、親指でこの柄部の凹陥部を上から押さえ、人差し指と中指で下側から支えると、三本の指で大変持ち易い構成となっている。この実施例はアイスクリームやヨーグルトやケーキなどを食べる際の使い捨て用スプーンとして使用されるものである。誘導側縁３１の位置は前方または横方どちらでも構わない。
【００３９】
本発明のスプーン１の材質は、主としてステンレスや銀などの金属や硬質ナイロン樹脂や紙やプラスチックシ−トなどの硬質材料からなるものであるが、シリコンなどの軟質材料よりなるものとしても、凹状の誘導側縁３１を備えているため、スプーンの移動により誘導側縁３１の中央付近に平皿のペースト状食品をより高く盛り上げることが可能になり、特許文献１や２の直線状や略長円状の掬い部を備えたスプーンに比して、掬い取り効果をより高めることが可能になるものである。
【産業上の利用可能性】
【００４０】
本発明のスプーンは残り少なくなった平坦な底面のペースト状食品を掬い取ることが楽にできるようになるし、凹状の誘導側縁３１で転がり易いとか、滑り易くて少し硬いフルーツや小型バターなどを押し切りし易くなるものであり、用途別に様々なものを製造しておけば、健常者だけでなく上肢障害者や高齢者や幼児にもやさしいユニバーサルデザインのスプーンとなるであろう。
また、防水性板紙やプラスチックシートなどを用いて製造したら、安価でより掬い易い使い捨てスプーンとすることが可能となるであろう。
【符号の説明】
【００４１】
３  掬い部
４  等高線
３１  誘導側縁
【図１】
2014033767.tif 000003
【図２】
2014033767.tif 000004
【図３】
2014033767.tif 000005
【図４】
2014033767.tif 000006
【図５】
2014033767.tif 000007
【図６】
2014033767.tif 000008
【図７】
2014033767.tif 000009
【図８】
2014033767.tif 000010
【図９】
2014033767.tif 000011
【図１０】
2014033767.tif 000012
【手続補正書】
【提出日】平成24年11月20日(2012.11.20)
【手続補正１】
【補正対象書類名】特許請求の範囲
【補正対象項目名】全文
【補正方法】変更
【補正の内容】
【特許請求の範囲】
【請求項１】
柄部の先端に凹陥部よりなる掬い部が連設された食事用のスプーンであって、この掬い部の少なくとも一側縁を平面視かつ側面視凹状の誘導側縁とし、前記掬い部を一定の傾斜角度で皿の平坦な底面に当接した際に、前記誘導側縁の略全域の下端が前記底面に当接するように形成したことを特徴とするスプーン。
【請求項２】
前記誘導側縁を前記掬い部の真横より少し前方に配置し、柄部が皿の縁部に当たりにくくなるように、柄部の中心軸と一定の角度を設けたことを特徴とする請求項１記載のスプーン。
【請求項３】
前記掬い部の凹陥部が柄部に連続していることを特徴とする請求項１または２記載の紙製またはプラスチックシート製のスプーン。
【手続補正３】
【補正対象書類名】明細書
【補正対象項目名】００１２
【補正方法】変更
【補正の内容】
【００１２】
本発明の第１の課題解決手段は上記の目的を達成するために、柄部の先端に凹陥部よりなる掬い部が連設され、この掬い部の少なくとも一側縁を平面視かつ側面視凹状の誘導側縁とし、前記掬い部を一定の傾斜角度で皿の平坦な底面に当接した際に、前記誘導側縁の略全域の下端が前記底面に当接するように形成したことを特徴とするスプーンとしたものである。
【手続補正４】
【補正対象書類名】明細書
【補正対象項目名】００１３
【補正方法】変更
【補正の内容】
【００１３】
本発明の第２の課題解決手段は上記の目的を達成するために、前記誘導側縁を前記掬い部の真横より少し前方に配置し、柄部が皿の縁部に当たりにくくなるように、柄部の中心軸と一定の角度を設けたことを特徴とする請求項１記載のスプーンとしたものである。
【手続補正５】
【補正対象書類名】明細書
【補正対象項目名】００１４
【補正方法】変更
【補正の内容】
【００１４】
本発明の第３の課題解決手段は上記の目的を達成するために、前記掬い部の凹陥部が柄部に連続していることを特徴とする請求項１または２記載の紙製またはプラスチックシート製のスプーンとしたものである。
【手続補正６】
【補正対象書類名】明細書
【補正対象項目名】００１５
【補正方法】削除
【補正の内容】
【手続補正書】
【提出日】平成25年2月13日(2013.2.13)
【手続補正１】
【補正対象書類名】特許請求の範囲
【補正対象項目名】全文
【補正方法】変更
【補正の内容】
【特許請求の範囲】
【請求項１】
柄部の先端に凹陥部よりなる略長円状の掬い部が連接された食事用のスプーンであって、この掬い部の少なくとも一側縁を平面視凹状かつ側面視凹状の誘導側縁とし、前記掬い部を皿の平坦な底面に略３０度〜４５度の傾斜角度で当接した際に、前記誘導側縁の略全域の下端が前記底面に当接するように形成したことを特徴とするスプーン。
【請求項２】
前記誘導側縁を前記掬い部の真横より少し前方に配置し、柄部が皿の縁部に当たりにくくなるように、柄部の中心軸と一定の角度を設けたことを特徴とする請求項１記載のスプーン。
【請求項３】
前記掬い部の凹陥部が柄部に連続していることを特徴とする請求項１または２記載の板紙製またはプラスチックシート製のスプーン。
【手続補正２】
【補正対象書類名】明細書
【補正対象項目名】００１２
【補正方法】変更
【補正の内容】
【００１２】
本発明の第１の課題解決手段は上記の目的を達成するために、柄部の先端に凹陥部よりなる略長円状の掬い部が連接された食事用のスプーンであって、この掬い部の少なくとも一側縁を平面視凹状かつ側面視凹状の誘導側縁とし、前記掬い部を皿の平坦な底面に略３０度〜４５度の傾斜角度で当接した際に、前記誘導側縁の略全域の下端が前記底面に当接するように形成したことを特徴とするスプーンとしたものである。